(57)【特許請求の範囲】
【請求項１】
放送番組を送信する放送送信装置において、
番組提供者が提供する放送番組の放送時間枠内に放送されるＣＭの映像信号及び音声信号から成るＡＶデータと前記放送番組のＡＶデータとを蓄積して管理するＡＶデータ蓄積管理手段と、
前記放送番組及びＣＭの放送スケジュールを作成し、スケジュール情報として管理するスケジュール管理手段と、
前記放送番組及びＣＭの各ＡＶデータを蓄積する放送受信装置に対して、蓄積の準備、蓄積の開始及び蓄積の終了を規定する蓄積制御情報と、前記各ＡＶデータの識別情報及び放送時間の情報を含む蓄積管理情報とを作成し、リファレンス情報として登録するリファレンス情報作成手段と、
前記スケジュール情報に従って前記ＡＶデータを送信するとともに、前記放送番組及びＣＭの各ＡＶデータの送信に先立って蓄積の準備を規定する前記蓄積制御情報を送信し、前記各ＡＶデータの送信が開始されるときに蓄積の開始を規定する前記蓄積制御情報を送信し、前記各ＡＶデータの送信が終了するときに蓄積の終了を規定する前記蓄積制御情報を送信し、さらに、前記各ＡＶデータを送信している間に当該ＡＶデータの前記蓄積管理情報を送信する送信手段と、
を備え、
前記スケジュール管理手段は、放送スケジュールが変動した場合に、前記リファレンス情報の蓄積管理情報を参照し、放送スケジュールに含まれるＣＭの一部を、ＡＶデータの放送時間を異にする他のＣＭで差し替えて前記放送番組の放送スケジュールを当初の放送時間枠内で終了させる、
ことを特徴とする放送送信装置。
【請求項２】
前記スケジュール管理手段は、前記蓄積管理情報を参照して、各番組提供者のＣＭの中でＡＶデータの放送時間が最も短いＣＭを検索し、検索したＣＭを用いて前記放送スケジュールの差し替えを行うことを特徴とする請求項１記載の放送送信装置。
【請求項３】
請求項1記載の放送送信装置から送信された前記放送番組及びＣＭの各ＡＶデータと、前記各ＡＶデータの蓄積の準備、蓄積の開始及び蓄積の終了を規定する蓄積制御情報と、前記各ＡＶデータの識別情報及び放送時間の情報を含む蓄積管理情報とを受信する放送受信装置であって、
受信した前記ＡＶデータと前記蓄積制御情報と前記蓄積管理情報とを分離抽出する受信手段と、
前記ＡＶデータを内部バッファに取り込んで復号するＡＶデコーダ手段と、
前記蓄積制御情報の指示に基づいて、復号したＡＶデータを前記蓄積管理情報とともに蓄積、管理するＡＶデータ蓄積管理手段と、
を備え、前記ＡＶデータ蓄積管理手段は、蓄積の準備を規定する前記蓄積制御情報を受信したとき、前記ＡＶデータの蓄積の可能性を判断し、蓄積が可能であると判断した場合のみ、蓄積の開始を規定する前記蓄積制御情報の指示に基づいて前記ＡＶデータを蓄積することを特徴とする放送受信装置。
【発明の詳細な説明】
【０００１】
【発明の属する技術分野】
本発明は、放送送信側から放送された番組を受信側で蓄積して再生する放送システムの放送送信装置及び受信装置に関し、特に、受信側での番組の蓄積を放送送信側で制御できるようにしたものである。
【０００２】
【従来の技術】
近年、通信技術及びデータ処理技術の発展により、オーディオ情報やビジュアル情報といったマルチメディア情報がデジタル化されて利用者に提供されるようになり、また、大容量の記憶媒体の登場によって、大量のデータを放送や通信の設備を使用して送信し、ユーザ側の端末装置で受信して蓄積し、任意のタイミングで視聴するという放送システムが可能な状況になってきている。
【０００３】
このような放送システムは、例えば、特開平９−１３５３９１公報に記載されている。この放送システムでは、放送番組のハイライトシーンが送信された後にハイライトシーンに関する区間情報が付加情報として生放送番組と同時に送信される。受信装置は、生放送番組を常時蓄積装置に格納し、ハイライトシーンの区間を示す区間情報が検出された場合には、蓄積装置に格納されている放送番組の内から、対応するハイライトシーンのみを再蓄積する。こうすることにより、再蓄積したハイライトシーンを随時再生して視聴することが可能になる。
【０００４】
また、特開平１０−３０４３２１公報に記載されている放送システムでは、放送送信装置が、放送番組とともにこの放送番組に付随する付加情報を送信し、受信装置が、放送番組と付加情報とを併せて蓄積する。このシステムでは、視聴者の指示により、受信装置から、放送番組に関する情報の視聴や、放送番組の繰り返し視聴、短縮視聴、可変視聴など、多彩でかつ効率的な視聴を行うことが可能である。
【０００５】
【発明が解決しようとする課題】
しかし、これらの放送システムでは、送信側が、予め受信装置に用意されたプログラムで処理できるパラメータを放送番組とともに付加情報として送信し、受信装置が、それを蓄積してプログラムを実行し、視聴者の好みに応じたサービスを提供する方式であるため、例えばＣＭを自動的に蓄積させて視聴させたり、蓄積されたＣＭを最新バージョンのＣＭに更新するなど、送信側の意図を反映した放送番組サービスを提供することが困難であった。
【０００６】
本発明は、こうした従来の課題を解決するものであり、放送送信側が、放送番組の素材であるＡＶデータの受信側での蓄積を制御し、また、このＡＶデータの利用を制御して、変化に富んだ放送番組サービスを受信側に提供することができる放送システムの放送送信装置と放送受信装置とを提供することを目的としている。
【０００７】
なお、この明細書では、「ＡＶデータ」と云う用語を「映像信号」または「音声信号」若しくは「映像信号及び音声信号」を意味するものとして使用する。
【０００８】
【課題を解決するための手段】
本発明は、上記の課題を解決するために、放送番組を送信する放送送信装置において、番組提供者が提供する放送番組の放送時間枠内に放送されるＣＭの映像信号及び音声信号から成るＡＶデータと前記放送番組のＡＶデータとを蓄積して管理するＡＶデータ蓄積管理手段と、前記放送番組及びＣＭの放送スケジュールを作成し、スケジュール情報として管理するスケジュール管理手段と、前記放送番組及びＣＭの各ＡＶデータを蓄積する放送受信装置に対して、蓄積の準備、蓄積の開始及び蓄積の終了を規定する蓄積制御情報と、前記各ＡＶデータの識別情報及び放送時間の情報を含む蓄積管理情報とを作成し、リファレンス情報として登録するリファレンス情報作成手段と、前記スケジュール情報に従って前記ＡＶデータを送信するとともに、前記放送番組及びＣＭの各ＡＶデータの送信に先立って蓄積の準備を規定する前記蓄積制御情報を送信し、前記各ＡＶデータの送信が開始されるときに蓄積の開始を規定する前記蓄積制御情報を送信し、前記各ＡＶデータの送信が終了するときに蓄積の終了を規定する前記蓄積制御情報を送信し、さらに、前記各ＡＶデータを送信している間に当該ＡＶデータの前記蓄積管理情報を送信する送信手段と、を備え、前記スケジュール管理手段は、放送スケジュールが変動した場合に、前記リファレンス情報の蓄積管理情報を参照し、放送スケジュールに含まれるＣＭの一部を、ＡＶデータの放送時間を異にする他のＣＭで差し替えて前記放送番組の放送スケジュールを当初の放送時間枠内で終了させる、ことを特徴としている。
【０００９】
これにより、放送送信装置において、放送受信装置に蓄積する放送番組のＡＶデータを管理するための情報を作成することができる。
【００１３】
また、緊急ニュース番組などで放送番組のスケジュールを変更した場合にも、放送受信装置で蓄積管理しているデータを変更する必要はなく、放送送信装置において、放送時間枠内で放送番組のスケジュールを再編成することができる。
【００１４】
また、本発明の放送受信装置は、前記放送送信装置から送信された前記放送番組及びＣＭの各ＡＶデータと、前記各ＡＶデータの蓄積の準備、蓄積の開始及び蓄積の終了を規定する蓄積制御情報と、前記各ＡＶデータの識別情報及び放送時間の情報を含む蓄積管理情報とを受信する放送受信装置であって、受信した前記ＡＶデータと前記蓄積制御情報と前記蓄積管理情報とを分離抽出する受信手段と、
前記ＡＶデータを内部バッファに取り込んで復号するＡＶデコーダ手段と、前記蓄積制御情報の指示に基づいて、復号したＡＶデータを前記蓄積管理情報とともに蓄積、管理するＡＶデータ蓄積管理手段と、を備え、前記ＡＶデータ蓄積管理手段は、蓄積の準備を規定する前記蓄積制御情報を受信したとき、前記ＡＶデータの蓄積の可能性を判断し、蓄積が可能であると判断した場合のみ、蓄積の開始を規定する前記蓄積制御情報の指示に基づいて前記ＡＶデータを蓄積することを特徴としている。
【００１５】
これにより、放送送信装置は、放送番組のスケジュールにあわせて、放送受信装置に、放送番組のＡＶデータを蓄積、管理させることができる。
【００１７】
また、放送受信装置は、放送送信装置によって蓄積指示された放送番組のＡＶデータを、効率良く蓄積管理することができる。
【００３０】
【発明の実施の形態】
以下、本発明の実施の形態について図面を用いて説明する。
【００６１】
（第１の実施の形態）
第１の実施の形態の放送システムは、図１に示すように、放送番組を送信する放送送信装置100と、放送番組を受信する放送受信装置110とから成り、放送送信装置100は、放送番組素材であるＡＶデータの放送受信装置110での蓄積を制御し、また、この蓄積されたＡＶデータの利用を制御して、放送送信装置100が意図する放送番組サービスを放送受信装置110に提供する。
【００６２】
放送送信装置100は、放送番組の素材をＡＶデータとして蓄積して管理するＡＶデータ蓄積管理手段101と、放送番組のスケジュールを作成し、スケジュール情報として管理するスケジュール管理手段102と、放送番組のＡＶデータを放送受信装置110に蓄積する場合の処理制御方法を示す蓄積制御情報と、蓄積中のＡＶデータの管理情報を示す蓄積管理情報とを作成して、リファレンス情報として登録するリファレンス情報作成手段103と、リファレンス情報作成手段103によって作成されたリファレンス情報を蓄積管理し、その送出を制御するリファレンス情報蓄積管理手段104と、放送番組サービスでのＡＶデータの利用方法を示すアプリケーション情報を作成するアプリケーション情報作成手段105と、アプリケーション情報作成手段105によって作成されたアプリケーション情報を蓄積管理し、その送出を制御するアプリケーション情報蓄積管理手段106と、放送番組サービスを実行するためのサービスアプリケーションを蓄積管理し、その送出を制御するサービスアプリケーション蓄積管理手段107と、放送受信装置110にデータを送信する送信手段108とを備えている。
【００６３】
一方、放送受信装置110は、送信手段108から送信されたデータを受信する受信手段111と、受信したＡＶデータを内部バッファに取り込んで復号するＡＶデコーダ手段112と、ＡＶデコーダ手段112から出力されたＡＶデータを再生するＡＶ再生手段113と、ＡＶデータを蓄積、管理するＡＶデータ蓄積管理手段114と、受信したリファレンス情報の蓄積制御情報に基づく処理を行うリファレンス情報処理手段115と、受信したアプリケーション情報を蓄積して管理するアプリケーション情報蓄積管理手段116と、受信したサービスアプリケーションを蓄積して管理するサービスアプリケーション蓄積管理手段117と、ＡＶデータ蓄積管理手段114で蓄積管理されているＡＶデータを利用して、サービスアプリケーションを実行するアプリケーション情報処理手段118とを備えている。
【００６４】
次に、この放送システムの動作について説明する。
【００６５】
放送送信装置100のＡＶデータ蓄積管理手段101は、図２に示すように、放送番組を構成する映像や音声などから構成される素材を、データ識別子、データサイズ、放送時間、Version情報などの更新情報、及びグループ識別子から構成されるＡＶデータ情報201で表し、ＡＶデータとして、蓄積・管理している。なお、データ識別子は、映像識別子、音声識別子、信号識別子、コード識別子、時間識別子など、システムで一意に規定されている識別子のことであり、また、グループ識別子は、システムでグループとして一意に規定されている識別子のことである。
【００６６】
また、スケジュール管理手段102は、放送番組のスケジュールを作成するために、放送開始時間などの情報と、ＡＶデータ蓄積管理手段101で蓄積管理されているＡＶデータとを組み合わせて、スケジュール情報202を作成し、ＡＶデータ情報201のデータ識別子を利用して、管理している。図２のスケジュール情報は、例えば、データ識別子１で表される素材が10:00:00、10:14:00及び10:28:00にそれぞれ放送開始されることを示している。
【００６７】
放送送信装置100のリファレンス情報作成手段103は、放送受信装置110に放送番組のＡＶデータを蓄積するためのリファレンス情報を作成する。
【００６８】
この処理のフロー図を図１２に示し、また、作成されるリファレンス情報を図２に示している。
【００６９】
リファレンス情報作成手段103は、リファレンス情報の内、まず、放送受信装置で放送番組のＡＶデータを蓄積する際の処理制御方法を示す蓄積制御情報を作成し、次いで、放送受信装置で放送番組のＡＶデータを蓄積しているときの管理情報を示す蓄積管理情報を作成する。
【００７０】
ステップS1−1：リファレンス情報作成手段103は、蓄積制御情報を作成するため、ＡＶデータ情報201に登録されているデータサイズと、スケジュール情報202に登録されている放送開始時間とを読み出し、
ステップS1−2：放送開始時間前（ここでは、３分前としている）に蓄積準備を行って、ＡＶデータのデータサイズが蓄積できる容量が放送受信装置にあるかをチェックする蓄積制御コマンド、蓄積Readyコマンドを作成する。
【００７１】
ステップS1−3：次に、放送開始時間になったら蓄積を開始する蓄積制御コマンド、蓄積Goコマンドを作成する。
【００７２】
ステップS1−4：次に、ＡＶデータ情報201に登録されている放送時間と、スケジュール情報202に登録されている放送開始時間とから、放送時間が終了したら蓄積を終了する蓄積制御コマンド、蓄積Stopコマンドを作成する。
【００７３】
ステップS1−5：作成した蓄積制御コマンド、蓄積Ready、蓄積Go、蓄積Stopコマンドを、蓄積制御情報204として、登録する。
【００７４】
ステップS1−6：次に、蓄積管理情報を作成するため、ＡＶデータ情報201に登録されているグループ識別子を読み出し、グループ識別子ごとに一意であるデータ名の情報を作成し、蓄積管理情報205に登録する。また、その他の情報、例えば更新情報、放送時間、放送開始時間などの情報を作成するため、ＡＶデータ情報201から該当する情報を読み出し、蓄積管理情報205に登録する。
【００７５】
ステップS1−7：その後、作成した蓄積制御情報204と蓄積管理情報205とをリファレンス情報203として、ＡＶデータ情報201のデータ識別子を利用して、リファレンス情報蓄積管理手段104で蓄積して管理する。
【００７６】
次に、放送送信装置は、作成したリファレンス情報を利用して放送番組のＡＶデータを放送受信装置に蓄積するために、図１３に示す手順で送信動作を行う。
【００７７】
リファレンス情報蓄積管理手段104は、リファレンス情報作成手段103で作成された蓄積制御情報204と蓄積管理情報205とを、リファレンス情報203として蓄積・管理している。
【００７８】
ステップS2−1：例えば、Ａ、Ｂ、Ｃ、Ｄの４社が提供している10:00〜10:30のドラマ番組ａという放送番組のＡＶデータを、放送受信装置で蓄積するために、図３のように、まず、リファレンス情報蓄積管理手段104で蓄積管理しているリファレンス情報203の蓄積制御情報204から、蓄積制御Readyコマンドを読み取って、Ａ社の１番目のＣＭの蓄積制御Readyコマンドを9:57:00に送信する。
【００７９】
同様に、Ｂ社、Ｃ社、Ｄ社の１番目のＣＭ、及びドラマ番組ａの１番目の蓄積制御Readyコマンドをそれぞれ、9:57:30、9:57:45、9:58:45、9:59:00に送信する。
【００８０】
ステップS2−2：10:00:00になってドラマ番組ａの放送開始と同時に、放送番組のスケジュールに従って、まず、Ａ社の１番目のＣＭのＡＶデータを送信する。同時に、リファレンス情報として、Ａ社の１番目のＣＭの蓄積制御Goコマンドと蓄積管理情報とを送信する。
【００８１】
ステップS2−3：10:00:30になってＡ社の１番目のＣＭの放送終了と同時に、Ａ社の１番目のＣＭのＡＶデータの送信を終了する。同時に、リファレンス情報として、Ａ社の１番目のＣＭの蓄積制御Stopコマンドを送信し、蓄積管理情報の送信を終了する。
【００８２】
以下、同様に、Ｂ、Ｃ、Ｄ社の１番目のＣＭのＡＶデータとリファレンス情報を送信する。
【００８３】
ステップS2−4：10:30:00になって、ドラマ番組ａの放送終了と同時に、ドラマ番組ａのＡＶデータとリファレンス情報との送信を終了する。
【００８４】
次に、放送送信装置が送信したリファレンス情報を利用して、放送受信装置が、放送番組のＡＶデータを蓄積する動作について説明する。
【００８５】
図１４、１５は、このときの放送受信装置の処理の流れを示している。
【００８６】
前述のように、放送送信装置100から、放送番組のＡＶデータと、リファレンス情報203として、蓄積制御情報204と蓄積管理情報205とが放送されている。
【００８７】
ステップS3−1：例えば、視聴者がＡ、Ｂ、Ｃ、Ｄの４社が提供している10:00〜10:30のドラマ番組ａを視聴し、そのＡＶデータを放送受信装置に蓄積するため、視聴者が放送されているドラマ番組ａをチューニングすると、
ステップS3−2：受信手段111は、ドラマ番組ａのＡＶデータとリファレンス情報とを分離抽出し、ＡＶデータはＡＶデコーダ手段112に、リファレンス情報はリファレンス情報処理手段115に出力する。
【００８８】
ステップS3−3：リファレンス情報処理手段115は、リファレンス情報の蓄積制御情報として蓄積制御Readyコマンドが入力すると、その蓄積制御Readyコマンドを実行する。
【００８９】
このときの動作を図１５のフロー図によってさらに詳しく示す。
【００９０】
ステップS4−1：リファレンス情報処理手段115は、9:57:00に送信されてきたＡ社の１番目のＣＭの蓄積制御Readyコマンドを実行し、放送受信装置110にＡ社の１番目のＣＭのＡＶデータが蓄積可能な容量があるか確認する。
【００９１】
ステップS4−2：蓄積可能な場合は、Ａ社の１番目のＣＭのＡＶデータが既に蓄積されていないか確認する。
【００９２】
ステップS4−3：既に蓄積されている場合は、Ａ社ＣＭ１番のＡＶデータの蓄積管理情報を参照し、更新情報、例えばVersion情報などを登録して、
ステップS4−4：蓄積されていたＡＶデータを削除し、
ステップS4−5：蓄積ＯＫコマンドを返す。
【００９３】
以下、同様に、Ｂ社、Ｃ社、Ｄ社の１番目のＣＭ、及びドラマ番組ａの１番目の蓄積制御Readyコマンドをそれぞれ、9:57:30、9:57:45、9:58:45、9:59:00に実行する（ステップS4−１〜S4-6）。
【００９４】
図１４に戻って、
ステップS3−4：10:00:00になってドラマ番組aの放送が開始されると、蓄積制御Readyコマンドにより蓄積ＯＫが返ってきた場合は、リファレンス情報処理手段115で以下の処理を行う。
【００９５】
ステップS3−5：送信されてきたＡ社の１番目のＣＭの蓄積制御Goコマンドを実行し、同時に、Ａ社の１番目のＣＭの蓄積管理情報を読み取ってデータ名の情報を抽出し、抽出したデータ名をファイル名として、Ａ社の１番目のＣＭのＡＶデータの蓄積を開始する。
【００９６】
ステップS3−6：10:00:30になってＡ社の１番目のＣＭの放送が終了すると、送信されてきたＡ社の１番目のＣＭの蓄積制御Stopコマンドを実行し、Ａ社の１番目のＣＭのＡＶデータの蓄積を終了する。
【００９７】
以下、同様に、ドラマ番組ａの放送終了まで、ＡＶデータの蓄積処理を行う（ステップS3−5、S3−6）。
【００９８】
以上のように、この実施の形態の放送送信装置は、放送番組を構成する素材をＡＶデータとして蓄積管理し、そのＡＶデータを放送受信装置に蓄積する場合の処理制御方法を示す蓄積制御情報と、蓄積中の管理情報を示す蓄積管理情報とを作成し、リファレンス情報として登録し蓄積管理し、放送番組のスケジュールを管理しているスケジュール情報にあわせて送信する。また、放送受信装置は、蓄積制御情報に従って蓄積制御コマンドを実行し、蓄積管理情報に従ってＡＶデータを蓄積して管理する。こうした処理により、放送送信装置は、放送受信装置に蓄積する放送番組のＡＶデータを管理するための情報を作成して、放送番組のスケジュールにあわせて放送受信装置にそのＡＶデータを蓄積させることが可能になる。
【００９９】
なお、本実施の形態では、スケジュール情報の管理を、ＡＶデータ情報のデータ識別子で管理した例で説明したが、これに限定する必要はなく、スケジュール情報とＡＶデータ情報とを１対１で管理できる情報であれば同様に実施可能である。
【０１００】
また、本実施の形態では、蓄積Readyコマンドによる蓄積準備は、３分前とした例で説明したが、これに限定する必要はなく、開始時間のどのくらい前にするかは設定により自由に変更できるようにしても良い。
【０１０１】
また、本実施の形態では、蓄積管理情報に登録する情報は、グループ識別子ごとに一意であるデータ名の情報と、更新情報、放送時間、放送開始時間とした例で説明したが、これに限定する必要はなく、蓄積管理するＡＶデータを特定できる情報であればその他のものであっても良い。
【０１０２】
また、本実施の形態では、リファレンス情報の管理は、ＡＶデータ情報のデータ識別子で管理した例で説明したが、これに限定する必要はなく、リファレンス情報とＡＶデータ情報とを１対１で管理できる情報であれば同様に実施可能である。
【０１０３】
また、本実施の形態では、ＡＶデータの蓄積は、蓄積管理情報のデータ名の情報をファイル名として蓄積した例で説明したが、これに限定する必要はなく、蓄積するＡＶデータを一意に特定できる情報で蓄積すれば、同様に実施可能である。
【０１０４】
また、本実施の形態では、蓄積制御情報として登録する蓄積制御コマンドは、蓄積Ready、蓄積Go、蓄積Stopの３つのコマンドとした例で説明したが、この３つのコマンドに限定する必要はなく、その他のコマンド、例えば、蓄積を一時停止する蓄積制御コマンド、蓄積Pause、蓄積を再開する蓄積制御コマンド、蓄積Restartなどのコマンドについても、同様に実施可能である。
【０１０５】
（第２の実施の形態）
第２の実施の形態では、放送送信装置が、放送番組のスケジュールを変更した場合に、リファレンス情報を変更する動作について説明する。
【０１０６】
図１６は、この放送送信装置が、放送番組のスケジュールを変更した場合に、スケジュール情報に従ってリファレンス情報を変更する処理の流れを示すフローチャートであり、図１、２、４、５とあわせて、以下にその動作を説明する。
【０１０７】
第１の実施の形態で説明したように、リファレンス情報蓄積管理手段104は、リファレンス情報作成手段103で作成された蓄積制御情報204と蓄積管理情報205とを、リファレンス情報203として蓄積管理している。
【０１０８】
ステップS5−1：例えば、図４の放送番組401のようにスケジュールが構成されている放送番組において、10:00:45に２分の緊急ニュース番組を放送する必要が生じた場合には、流動番組402のように、10:00:45に２分の緊急ニュース番組を挿入し、以降のスケジュールを２分ずつ繰り下げる放送スケジュールの変更が行われる。
【０１０９】
ステップS5−2：このとき、スケジュール管理手段102は、図５のように、管理しているスケジュール情報501のうち、10:00:45以降の番組のスケジュールを２分ずつ繰り下げて放送するように変更したスケジュール情報502を作成する。
【０１１０】
ステップS5−3：リファレンス情報蓄積管理手段104は、スケジュール情報の501から502への変更に伴って、スケジュールが変更されたＡＶデータを抽出し、ステップS5−4：蓄積管理しているリファレンス情報203のうち、変更されたＡＶデータの蓄積制御情報を変更して蓄積制御情報504を作成し、
ステップS5−5：また、蓄積管理しているリファレンス情報203のうち、変更されたＡＶデータの蓄積管理情報を変更して、蓄積管理情報505を作成し、
ステップS5−6：変更したリファレンス情報503を登録する。
【０１１１】
以上のように、本実施の形態の放送システムでは、放送番組のスケジュールを変更した場合に、放送送信装置は、スケジュール情報に従って蓄積管理しているリファレンス情報を変更する。一方、放送受信装置では蓄積管理しているデータを変更する必要はない。このように、放送スケジュールを変更する場合に、放送送信装置側だけで柔軟に対応することができる。
【０１１２】
なお、本実施の形態では、２分の緊急ニュース番組を放送番組のスケジュールに挿入した例で説明したが、これに限定する必要はなく、何分何時間の番組を挿入あるいは削除して放送番組のスケジュールを変更する場合であっても同様に実施可能である。
【０１１３】
（第３の実施の形態）
第３の実施の形態では、放送番組のスケジュールが変動した場合に、リファレンス情報を利用して、放送番組のスケジュールを放送時間枠内で終了させる動作について説明する。
【０１１４】
図１７は、この場合の放送送信装置での処理の流れを示すフローチャートであり、図１、２、４とあわせて、その動作を説明する。
【０１１５】
第１の実施の形態で説明したように、リファレンス情報蓄積管理手段104は、リファレンス情報作成手段103によって作成された蓄積制御情報204と蓄積管理情報205とを、リファレンス情報203として蓄積、管理している。
【０１１６】
例えば、図４の放送番組401のようにスケジュールが構成されている放送番組において、10:00:45に２分の緊急ニュース番組を放送する必要が生じた場合には、第２の実施の形態で説明したように、10:00:45に２分の緊急ニュース番組を挿入し、以降のスケジュールを２分ずつ繰り下げるスケジュールに変更すると、流動番組402のように、もともとの放送時間枠から２分オーバーした放送番組のスケジュールが作成されてしまう。
【０１１７】
そこで、スケジュール管理手段102は、放送時間枠内で放送を終了させるために、
ステップS6−1：リファレンス情報蓄積管理手段104によって蓄積管理されているリファレンス情報203の蓄積管理情報205を参照し、
ステップS6−2：Ａ〜Ｄ社のＣＭのＡＶデータのうち、最も放送時間の短いＡ１、Ｂ１、Ｃ２、Ｄ１を抽出する。
【０１１８】
ステップS6−3：抽出したＡ〜Ｄ社のＣＭのＡＶデータＡ１、Ｂ１、Ｃ２、Ｄ１を使用して、スケジュール情報を再編成し、
ステップS6−4：修正番組403を作成する。
【０１１９】
このように、本実施の形態の放送送信装置では、蓄積管理しているリファレンス情報を利用して、放送時間枠内で放送が終了するように放送番組のスケジュールを作成することができる。こうすることにより、放送番組のスケジュール変更が必要になった場合に、放送受信装置で蓄積管理されているデータに変更を加えることなく、放送時間枠内で放送番組のスケジュールを再編成することができる。
【０１２０】
なお、本実施の形態では、２分の緊急ニュース番組を放送番組のスケジュールに挿入した例で説明したが、これに限定する必要はなく、何分何時間の番組を挿入あるいは削除して放送番組のスケジュールを変更する場合であっても同様に実施可能である。
【０１２１】
（第４の実施の形態）
第４の実施の形態では、放送受信装置で蓄積管理されているＡＶデータを利用して放送番組サービスを提供する動作について説明する。
【０１２２】
例えば、Ａ、Ｂ、Ｃ、Ｄの４社が提供している10:00〜10:30のドラマ番組ａという放送番組がある。Ａ〜Ｄ社は、ドラマ番組ａに対し、ドラマ番組の開始前、途中、終了後に、それぞれ、Ａ社は、３０秒のＣＭを３回放送している。Ｂ社は、３０秒、１５秒、４５秒のＣＭを各１回ずつ放送している。Ｃ社は、６０秒のＣＭを１回、１５秒のＣＭを２回放送している。Ｄ社は、１５秒のＣＭを２回、３０秒のＣＭを２回放送しているものとする。
【０１２３】
まず、放送送信装置は、放送番組サービスを提供するために、アプリケーション情報、即ち、放送番組サービスでのＡＶデータの利用方法（ＡＶデータの利用順序など）を示す情報、を作成する。図１８のフロー図を用いて、この動作について説明する。
【０１２４】
放送送信装置100のリファレンス情報蓄積管理手段104は、図６に示すように、リファレンス情報作成手段103で作成された蓄積制御情報601と蓄積管理情報602とを、リファレンス情報603として蓄積、管理しており、アプリケーション情報作成手段105は、図６のように、このリファレンス情報603から、番組を特定する番組情報と、ＡＶデータの利用順序を示す放送情報とから成るアプリケーション情報を作成する。即ち、
ステップS7−1：例えば、Ａ、Ｂ、Ｃ、Ｄの４社が提供している10:00〜10:30のドラマ番組ａを対象とする放送番組サービスのアプリケーション情報における番組情報を作成するため、番組名の情報（本実施の形態では、ドラマ番組ａ）を番組情報として、アプリケーション情報604に登録する。
【０１２５】
ステップS7−2：次に、アプリケーション情報の放送情報を作成するため、リファレンス情報603に登録されている蓄積管理情報602から、放送開始時間の情報を読み出して、
ステップS7−3：10:00〜10:30の放送開始時間に放送するＡＶデータのデータ名の情報を読み出して、ａ１、ａ２、Ａ１、Ｂ１、Ｂ２、Ｂ３、Ｃ１、Ｃ２、Ｄ１、Ｄ２を抽出する。
【０１２６】
ステップS7−4：抽出したＡＶデータの放送順序を検索し、Ａ１、Ｂ１、Ｃ１、Ｄ１、ａ１、Ａ１、Ｂ２、Ｃ２、Ｄ２、ａ２、Ａ１、Ｂ３、Ｃ２、Ｄ１、Ｄ２より成る放送順序の情報を放送情報として作成する。
【０１２７】
ステップS7−5：作成した番組情報と放送情報とを、10:00〜10:30のドラマ番組ａに対するアプリケーション情報604として登録し、
ステップS7−6：アプリケーション情報蓄積管理手段106は、これを蓄積、管理する。
【０１２８】
次に、放送送信装置から、アプリケーション情報とサービスアプリケーションとを送信し、放送受信装置に蓄積されているＡＶデータを利用して放送番組サービスを提供する動作について説明する。
【０１２９】
例えば、10:00〜10:30のドラマ番組ａに対し、放送番組サービスとして、以下のようなサービスを提供するものとする。
１．再放送番組サービス
1999年1月1日11:00:00に、放送受信装置に蓄積されているＡＶデータを利用して、ドラマ番組ａを再放送するサービス。放送送信装置から再度ドラマ番組ａのデータを送信しなくても、再放送できるようにすることを目的とする。
２．ＣＭ短縮放送番組サービス
ドラマ番組ａの放送中に、同じ会社（本実施の形態ではＡ、Ｂ、Ｃ、Ｄ社）のＣＭの中で、最短放送時間のＣＭのみを放送するサービス。番組放送時に、放送時間を短縮して、ＣＭを視聴させることを目的とする。
３．ＣＭ優先順放送番組サービス
ドラマ番組ａの放送でのＣＭの放送は、優先順位の高いＣＭから放送するサービス。優先順位の高いＣＭから視聴させることを目的とする。例えば、以下のようなサービスを提供する。
【０１３０】
３．１ＣＭ途中放送番組サービス
ドラマ番組ａの途中（本放送時間10:10:00）から放送する。ＣＭは、放送順序に従って優先順位が高い。
【０１３１】
３．２ＣＭ長〜短時間放送番組サービス
ドラマ番組ａの放送でのＣＭの放送は、同じ会社のＣＭの中で最長放送時間のＣＭから順に優先順位が高い。
【０１３２】
３．３ＣＭ短〜長時間放送番組サービス
ドラマ番組ａの放送中のＣＭの放送は、同じ会社のＣＭの中で最短放送時間のＣＭから順に優先順位が高い。
【０１３３】
まず、放送送信装置から、アプリケーション情報とサービスアプリケーションとを送信して、放送受信装置に蓄積する動作について説明する。
【０１３４】
図１９は、受信装置が、放送番組サービスアプリケーション情報を蓄積、管理する処理の流れを示すフローチャートである。
【０１３５】
前述のように、放送送信装置100のアプリケーション情報蓄積管理手段106は、アプリケーション情報作成手段105によって作成された、10:00〜10:30のドラマ番組ａに対するアプリケーション情報701を蓄積管理している。
【０１３６】
また、放送送信装置100のサービスアプリケーション蓄積管理手段107は、前述の放送番組サービスアプリケーション１〜３を蓄積、管理している。
【０１３７】
以下、前述の各放送番組サービスについて、例えば、放送送信装置が放送番組サービスアプリケーション情報として、図７のように、サービス情報と処理情報とを作成して、放送受信装置に蓄積する動作について説明する。
【０１３８】
１．再放送番組サービス
ステップS8−1：再放送番組サービスを実行する前に、放送送信装置100は、再放送番組サービスアプリケーション処理プログラムを送信し、
ステップS8−2：放送受信装置110のサービスアプリケーション蓄積管理手段117に蓄積する。
【０１３９】
ステップS8−3：図７のように、放送送信装置100は、アプリケーション情報蓄積管理手段106で蓄積管理しているアプリケーション情報701を読み込む。
【０１４０】
ステップS8−4：1999年1月1日11:00:00に再放送するために、放送時間1999年1月1日11:00:00を処理情報として、また、放送番組サービス名の「再放送番組サービス」をサービス情報として、このサービス情報と処理情報とから成る放送番組サービス情報702をアプリケーション情報701に追加し、再放送番組サービスアプリケーション情報703を作成して、サービスアプリケーション蓄積管理手段107に蓄積する。
【０１４１】
ステップS8−5：放送送信装置100は、再放送番組サービスを実行する前に、再放送番組サービスアプリケーション情報703を放送受信装置110に送信する。
【０１４２】
ステップS8−6：放送受信装置110のサービスアプリケーション蓄積管理手段117はこれを蓄積する。
【０１４３】
なお、放送受信装置110では、受信手段111が、受信情報からアプリケーション情報とサービスアプリケーションとを分離し、アプリケーション情報はアプリケーション情報蓄積管理手段116が管理し、サービスアプリケーションはサービスアプリケーション蓄積管理手段117が蓄積管理するようにしても良い。
【０１４４】
２．ＣＭ短縮放送番組サービス
ステップS8−1：ＣＭ短縮放送番組サービスを実行する前に、放送送信装置100からＣＭ短縮放送番組サービスアプリケーション処理プログラムを送信し、
ステップS8−2：放送受信装置110のサービスアプリケーション蓄積管理手段117に蓄積する。
【０１４５】
ステップS8−3：図７のように、放送送信装置100は、アプリケーション情報蓄積管理手段106で蓄積管理しているアプリケーション情報701を読み込む。
【０１４６】
ステップS8−4：同じ会社（Ａ〜Ｄ社）のＣＭの中で最短放送時間のＣＭのみを放送するために、短縮放送を行うＣＭ会社のグループ識別子Ａ、Ｂ、Ｃ、Ｄを処理情報として、放送番組サービス名の「ＣＭ短縮放送番組サービス」をサービス情報として、このサービス情報と処理情報とから成る放送番組サービス情報702をアプリケーション情報701に追加し、ＣＭ短縮放送番組サービスアプリケーション情報704を作成して、サービスアプリケーション蓄積管理手段107に蓄積する。
【０１４７】
ステップS8−5：放送送信装置100は、ＣＭ短縮放送番組サービスを実行する前に、放送送信装置100からＣＭ短縮放送番組サービスアプリケーション情報704を送信し、
ステップS8−6：放送受信装置110のサービスアプリケーション蓄積管理手段117に蓄積する。
【０１４８】
３．ＣＭ優先順放送番組サービス
３．１  ＣＭ途中放送番組サービス
ステップS8−1：放送送信装置100は、ＣＭ途中放送番組サービスを実行する前に、ＣＭ途中放送番組サービスアプリケーション処理プログラムを送信し、
ステップS8−2：放送受信装置110のサービスアプリケーション蓄積管理手段117に蓄積する。
【０１４９】
ステップS8−3：図７のように、放送送信装置100は、アプリケーション情報蓄積管理手段106で蓄積管理しているアプリケーション情報701を読み込む。
【０１５０】
ステップS8−4：本放送時間10:10:00から放送し、ＣＭは放送順序に従って放送するために、優先順位を放送順として、また、放送開始時間10:10:00をドラマ番組ａのＡＶデータａ１の放送時間に換算し、（10:10:00−10:02:00（ａ１の本放送開始時間））min×60sec＝480secを放送開始時間として、処理情報を登録し、放送番組サービス名の「ＣＭ途中放送番組サービス」をサービス情報として、このサービス情報と処理情報とから成る放送番組サービス情報702をアプリケーション情報701に追加し、ＣＭ途中放送番組サービスアプリケーション情報705を作成して、サービスアプリケーション蓄積管理手段107に蓄積する。
【０１５１】
ステップS8−5：ＣＭ途中放送番組サービスを実行する前に、放送送信装置100からＣＭ途中放送番組サービスアプリケーション情報705を送信し、
ステップS8−6：放送受信装置110のサービスアプリケーション蓄積管理手段117に蓄積する。
【０１５２】
３．２  ＣＭ長〜短時間放送番組サービス
ステップS8−1：ＣＭ長〜短時間放送番組サービスを実行する前に、放送送信装置100からＣＭ長〜短時間放送番組サービスアプリケーション処理プログラムを送信し、
ステップS8−2：放送受信装置110のサービスアプリケーション蓄積管理手段117に蓄積する。
【０１５３】
ステップS8−3：図７のように、放送送信装置100は、アプリケーション情報蓄積管理手段106で蓄積管理しているアプリケーション情報701を読み込む。
【０１５４】
ステップS8−4：同じ会社のＣＭの中で最長放送時間のＣＭから順に放送するために、短縮放送を行うＣＭ会社のグループ識別子Ａ、Ｂ、Ｃ、ＤをＭＡＸ（最長放送時間）〜ＭＩＮ（最短放送時間）まで放送するように優先順位をつけて処理情報として登録し、放送番組サービス名の「ＣＭ長〜短時間放送番組サービス」をサービス情報として、このサービス情報と処理情報とから成る放送番組サービス情報702をアプリケーション情報701に追加し、ＣＭ長〜短時間放送番組サービスアプリケーション情報706を作成して、サービスアプリケーション蓄積管理手段107に蓄積する。
【０１５５】
ステップS8−5：ＣＭ長〜短時間放送番組サービスを実行する前に、放送送信装置100からＣＭ長〜短時間放送番組サービスアプリケーション情報706を送信し、
ステップS8−6：放送受信装置110のサービスアプリケーション蓄積管理手段117に蓄積する。
【０１５６】
３．３  ＣＭ短〜長時間放送番組サービス
ステップS8−1：ＣＭ短〜長時間放送番組サービスを実行する前に、放送送信装置100からＣＭ短〜長時間放送番組サービスアプリケーション処理プログラムを送信し、
ステップS8−2：放送受信装置110のサービスアプリケーション蓄積管理手段117に蓄積する。
【０１５７】
ステップS8−3：図７のように、放送送信装置100は、アプリケーション情報蓄積管理手段106で蓄積管理しているアプリケーション情報701を読み込む。
【０１５８】
ステップS8−4：同じ会社のＣＭの中で最長放送時間のＣＭから順に放送するために、短縮放送を行うＣＭ会社のグループ識別子Ａ、Ｂ、Ｃ、ＤをＭＩＮ（最短放送時間）〜ＭＡＸ（最長放送時間）まで放送するように優先順位をつけて処理情報として登録し、放送番組サービス名の「ＣＭ短〜長時間放送番組サービス」をサービス情報として、このサービス情報と処理情報とから成る放送番組サービス情報702をアプリケーション情報701に追加し、ＣＭ短〜長時間放送番組サービスアプリケーション情報707を作成して、サービスアプリケーション蓄積管理手段107に蓄積する。
【０１５９】
ステップS8−5：ＣＭ短〜長時間放送番組サービスを実行する前に、放送送信装置100からＣＭ短〜長時間放送番組サービスアプリケーション情報705を送信し、
ステップS8−6：放送受信装置110のサービスアプリケーション蓄積管理手段117に蓄積する。
【０１６０】
次に、放送受信装置が、蓄積管理しているＡＶデータを利用して放送番組サービスを行う動作について説明する。
【０１６１】
図２０は、放送受信装置が、アプリケーション情報に従って、蓄積しているＡＶデータを利用して、放送番組サービスを行う処理の流れを示すフローチャートであり、図１、７、８とあわせて、その動作を説明する。
【０１６２】
以下、前述の各放送番組サービスについて、詳細に説明する。
【０１６３】
１．再放送番組サービス
ステップS9−1：放送受信装置110のアプリケーション情報処理手段118は、サービスアプリケーション蓄積管理手段117で蓄積管理されている再放送番組サービスアプリケーション情報703を読み込み、
ステップS9−2：処理情報として登録されている放送時間に従って、1999年1月1日11:00:00になると、サービス情報に従って、再放送番組サービスアプリケーション処理プログラムを実行する。
【０１６４】
ステップS9−3：再放送番組サービスアプリケーション処理プログラムは、再放送番組サービスアプリケーション情報703の放送情報に従って、ＡＶデータ蓄積管理手段114で蓄積管理されているＡＶデータの中から、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１を抽出する。
【０１６５】
ステップS9−4：図８の再放送802のように、ＡＶデータＡ１、Ｂ１、Ｃ２、Ｄ１、ａ１、Ａ１、Ｂ１、Ｃ２、Ｄ１、ａ２、Ａ１、Ｂ１、Ｃ２、Ｄ１を順に、放送すると、
放送送信装置から再度ドラマ番組ａのデータを送信する必要なく、再放送することができる。
【０１６６】
２．ＣＭ短縮放送番組サービス
ステップS9−1：放送受信装置110のアプリケーション情報処理手段118は、サービスアプリケーション蓄積管理手段117で蓄積管理されているＣＭ短縮放送番組サービスアプリケーション情報704を読み込んで、
ステップS9−2：サービス情報に従って、ＣＭ短縮放送番組サービスアプリケーション処理プログラムを実行する。
【０１６７】
ステップS9−3：ＣＭ短縮放送番組サービスアプリケーション処理プログラムは、ＣＭ短縮放送番組サービスアプリケーション情報704の放送情報に従って、ＡＶデータ蓄積管理手段114で蓄積管理されているＡＶデータの中から、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１を抽出する。
【０１６８】
ステップS9−4：図８のＣＭ短縮放送803のように、ＣＭ短縮放送番組サービスアプリケーション情報704の処理情報に登録されているＣＭ会社のグループ識別子Ａ、Ｂ、Ｃ、Ｄを持つＡＶデータの中から最短放送時間のＡ１、Ｂ１、Ｃ２、Ｄ１を抽出し、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１の順に放送すると、
放送時間を短縮して、ＣＭも視聴させることができる。
【０１６９】
３．ＣＭ優先順放送番組サービス
３．１  ＣＭ途中放送番組サービス
ステップS9−1：放送受信装置110のアプリケーション情報処理手段118は、サービスアプリケーション蓄積管理手段117で蓄積管理されているＣＭ途中放送番組サービスアプリケーション情報705を読み込んで、
ステップS9−2：処理情報として登録されている放送時間に従って、ドラマａ１の480secから、サービス情報に従って、ＣＭ途中放送番組サービスアプリケーション処理プログラムを実行する。
【０１７０】
ステップS9−3：ＣＭ途中放送番組サービスアプリケーション処理プログラムは、ＣＭ途中放送番組サービスアプリケーション情報705の放送情報に従って、ＡＶデータ蓄積管理手段114で蓄積管理されているＡＶデータの中から、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１を抽出する。
【０１７１】
ステップS9−4：図８のＣＭ途中放送804のように、ドラマ番組ａのＡＶデータａ１の480secから放送を開始し、ＣＭ途中放送番組サービスアプリケーション情報705の処理情報として登録されている、優先順位：放送順に従って、ＣＭ放送の順序を変更しないように、Ａ１、Ｂ１、Ｃ２、Ｄ１、ａ２、Ａ１、Ｂ１、Ｃ２、Ｄ１の順に放送すると、
放送番組の途中から放送しても、ＣＭの放送は、優先順位が高いＣＭから放送することができる。
【０１７２】
３．２  ＣＭ長〜短時間放送番組サービス
ステップS9−1：放送受信装置110のアプリケーション情報処理手段118は、サービスアプリケーション蓄積管理手段117で蓄積管理されているＣＭ長〜短時間放送番組サービスアプリケーション情報706を読み込んで、
ステップS9−2：サービス情報に従って、ＣＭ長〜短時間放送番組サービスアプリケーション処理プログラムを実行する。
【０１７３】
ステップS9−3：ＣＭ長〜短時間放送番組サービスアプリケーション処理プログラムは、ＣＭ長〜短時間放送番組サービスアプリケーション情報706の放送情報に従って、ＡＶデータ蓄積管理手段114で蓄積管理されているＡＶデータの中から、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１を抽出する。
【０１７４】
ステップS9−4：図８のＣＭ長〜短時間放送805のように、ＣＭ長〜短時間放送番組サービスアプリケーション情報706の処理情報に登録されている優先順位に従って、ＣＭ会社のグループ識別子Ａ、Ｂ、Ｃ、Ｄを持つＡＶデータの中から最長放送時間のＡＶデータから順に、Ａ１、Ｂ２、Ｃ１、Ｄ２、ａ１、Ａ１、Ｂ３、Ｃ２、Ｄ２、ａ２、Ａ１、Ｂ１、Ｃ２、Ｄ１、Ｄ１の順で放送すると、
放送番組のＣＭの放送は、同じ会社のＣＭの中で最長放送時間のＣＭから優先的に視聴することができる。
【０１７５】
３．３  ＣＭ短〜長時間放送番組サービス
ステップS9−1：放送受信装置110のアプリケーション情報処理手段118は、サービスアプリケーション蓄積管理手段117で蓄積管理されているＣＭ短〜長時間放送番組サービスアプリケーション情報707を読み込んで、
ステップS9−2：サービス情報に従って、ＣＭ短〜長時間放送番組サービスアプリケーション処理プログラムを実行する。
【０１７６】
ステップS9−3：ＣＭ短〜長時間放送番組サービスアプリケーション処理プログラムは、ＣＭ短〜長時間放送番組サービスアプリケーション情報707の放送情報に従って、ＡＶデータ蓄積管理手段114で蓄積管理されているＡＶデータの中から、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１を抽出する。
【０１７７】
ステップS9−4：図８のＣＭ短〜長時間放送806のように、ＣＭ短〜長時間放送番組サービスアプリケーション情報707の処理情報に登録されている優先順位に従って、ＣＭ会社のグループ識別子Ａ、Ｂ、Ｃ、Ｄを持つＡＶデータの中から最短放送時間のＡＶデータから順に、Ａ１、Ｂ１、Ｃ２、Ｄ１、ａ１、Ａ１、Ｂ３、Ｃ２、Ｄ１、ａ２、Ａ１、Ｂ２、Ｃ１、Ｄ２、Ｄ２の順で放送すると、放送番組のＣＭの放送は、同じ会社のＣＭの中で最短放送時間のＣＭから優先的に視聴することができる。
【０１７８】
以上のように、本実施の形態の放送送信装置は、蓄積管理しているリファレンス情報から、アプリケーション情報を作成し、放送番組サービスを実行するサービスアプリケーションとともに送信し、一方、放送受信装置は、アプリケーション情報に従って、蓄積管理しているＡＶデータの中から該当するＡＶデータを抽出して、サービスアプリケーションを実行する。
【０１７９】
そのため、放送送信装置は、放送受信装置に蓄積管理されているＡＶデータを利用して放送番組サービスを提供することができる。
【０１８０】
なお、本実施の形態では、提供する放送番組サービスとして、ＣＭ放送番組サービスを例に説明したが、これに限定する必要はなく、サービスアプリケーションでサービスを規定し、アプリケーション情報で放送番組のＡＶデータを利用する情報を提供するサービスであれば同様に実施可能である。
【０１８１】
また、番組情報は、番組名の情報で登録した例で説明したが、これに限定する必要はなく、番組を一意に特定できる情報であれば同様に実施可能である。
【０１８２】
また、放送情報は、ＡＶデータのデータ名の情報で放送順序の情報を登録した例を説明したが、これに限定する必要はなく、ＡＶデータを一意に特定し、放送番組の内容を表現できる情報であれば同様に実施可能である。
【０１８３】
また、本実施の形態では、放送送信装置が放送番組サービスアプリケーション情報に登録する情報を、番組情報、放送情報、サービス情報、処理情報とした例で説明したが、これに限定する必要はなく、放送受信装置でサービスを実行できる情報であれば同様に実施可能である。
【０１８４】
（第５の実施の形態）
第５の実施の形態では、放送番組サービスを利用して、放送番組のＡＶデータを削除する動作について説明する。
【０１８５】
例えば、10:00〜10:30のドラマ番組ａに対し、ＣＭ削除放送番組サービスとして、Ａ〜Ｄ社の１番目のＣＭのＡＶデータを削除するサービスを提供するとする。
【０１８６】
まず、放送送信装置が、アプリケーション情報を作成する動作について、図１９のフローチャートを参照して、図１、７とあわせて、説明する。
【０１８７】
第４の実施の形態で説明したように、放送送信装置100のアプリケーション情報蓄積管理手段106は、アプリケーション情報作成手段105で作成された、10:00〜10:30のドラマ番組ａに対するアプリケーション情報701を蓄積して管理している。
【０１８８】
また、放送送信装置100のサービスアプリケーション蓄積管理手段107は、ＣＭ削除放送番組サービスアプリケーションを蓄積して管理している。
【０１８９】
例えば、放送送信装置がＣＭ削除放送番組サービスアプリケーション情報として、サービス情報と処理情報を作成して、放送受信装置に蓄積する動作について、説明する。
【０１９０】
ステップS8−1：10:00〜10:30のドラマ番組ａに対し、ＣＭ削除放送番組サービスを提供するために、第４の実施の形態と同様に、ＣＭ削除放送番組サービスを実行する前に、放送送信装置100からＣＭ削除放送番組サービスアプリケーション処理プログラムを送信し、
ステップS8−2：放送受信装置110のサービスアプリケーション蓄積管理手段117に蓄積する。
【０１９１】
ステップS8−3：図７のように、放送送信装置100は、アプリケーション情報蓄積管理手段106で蓄積管理されているアプリケーション情報701を読み込む。
【０１９２】
ステップS8−4：Ａ〜Ｄ社の１番目のＣＭのＡＶデータを削除するために、ＡＶデータのデータ名の情報Ａ１、Ｂ１、Ｃ１、Ｄ１を処理情報として、また、放送番組サービス名の「ＣＭ削除放送番組サービス」をサービス情報として、このサービス情報と処理情報とから成る放送番組サービス情報702をアプリケーション情報701に追加し、ＣＭ削除放送番組サービスアプリケーション情報708を作成して、サービスアプリケーション蓄積管理手段107に蓄積する。
【０１９３】
ステップS8−5：ＣＭ削除放送番組サービスを実行する前に、放送送信装置100からＣＭ削除放送番組サービスアプリケーション情報708を送信し、
ステップS8−6：放送受信装置110のサービスアプリケーション蓄積管理手段117に蓄積する。
【０１９４】
次に、放送受信装置が、アプリケーション情報に従って、蓄積しているＡＶデータを削除する動作について、図２０のフローチャートにより説明する。
【０１９５】
ステップS9−1：放送受信装置110のアプリケーション情報処理手段118は、サービスアプリケーション蓄積管理手段117で蓄積管理されているＣＭ削除放送番組サービスアプリケーション情報708を読み込んで、
ステップS9−2：サービス情報に従って、ＣＭ削除放送番組サービスアプリケーション処理プログラムを実行する。
【０１９６】
ステップS9−3：ＣＭ削除放送番組サービスアプリケーション処理プログラムは、ＣＭ削除放送番組サービスアプリケーション情報708の放送情報に従って、ＡＶデータ蓄積管理手段114で蓄積管理されているＡＶデータの中から、Ａ１、Ｂ１、Ｃ２、Ｄ１、ａ１、Ａ１、Ｂ１、Ｃ２、Ｄ１、ａ２、Ａ１、Ｂ１、Ｃ２、Ｄ１を抽出し、
ステップS9−4：ＣＭ削除放送番組サービスアプリケーション情報708の処理情報に登録されているＡ１、Ｂ１、Ｃ１、Ｄ１をＡＶデータ蓄積管理手段114から削除する。
【０１９７】
以上のように、本実施の形態では、放送送信装置が、放送番組のＡＶデータを削除するサービスアプリケーション情報を作成して送信することにより、放送受信装置は、サービスアプリケーションを実行して、蓄積管理しているＡＶデータの中から該当するＡＶデータを抽出して削除する。このように、放送送信装置は、放送受信装置に蓄積管理されているＡＶデータを削除することができる。
【０１９８】
（第６の実施の形態）
第６の実施の形態では、放送番組サービスの利用情報を作成して活用する動作について説明する。
【０１９９】
例えば、10:00〜10:30のドラマ番組ａに対し、蓄積した放送番組を再生する場合、同じＣＭの放送は１回しか再生しないという、ＣＭ１回再生放送番組サービスを提供する場合について説明する。
【０２００】
まず、放送送信装置が、サービスアプリケーション情報を作成する動作について、図１９のフローチャートを使って説明する。
【０２０１】
第４の実施の形態で説明したように、放送送信装置100のアプリケーション情報蓄積管理手段106は、アプリケーション情報作成手段105で作成された、10:00〜10:30のドラマ番組ａに対するアプリケーション情報701を蓄積して管理している。
【０２０２】
また、放送送信装置100のサービスアプリケーション蓄積管理手段107は、ＣＭ１回再生放送番組サービスアプリケーションを蓄積して管理している。
【０２０３】
例えば、放送送信装置が、ＣＭ１回再生放送番組サービスアプリケーション情報として、サービス情報と処理情報とを作成して、放送受信装置に蓄積する動作について説明する。
【０２０４】
10:00〜10:30のドラマ番組ａに対し、ＣＭ１回再生放送番組サービスを提供するために、
ステップS8−1：第４の実施の形態と同様に、ＣＭ１回再生放送番組サービスを実行する前に、放送送信装置100からＣＭ１回放送番組サービスアプリケーション処理プログラムを送信し、
ステップS8−2：放送受信装置110のサービスアプリケーション蓄積管理手段117に蓄積する。
【０２０５】
ステップS8−3：図７のように、放送送信装置100が、アプリケーション情報蓄積管理手段106で蓄積管理されているアプリケーション情報701を読み込む。
【０２０６】
ステップS8−4：ＣＭ１回再生放送番組サービスを提供するために、まず、初期値として再生開始時間を０（再生していない）として処理情報を登録し、また、放送番組サービス名の「ＣＭ１回再生放送番組サービス」をサービス情報として、このサービス情報と処理情報とから成る放送番組サービス情報702をアプリケーション情報701に追加し、ＣＭ１回再生放送番組サービスアプリケーション情報709を作成して、サービスアプリケーション蓄積管理手段107に蓄積する。
【０２０７】
ステップS8−5：ＣＭ１回再生放送番組サービスを実行する前に、放送送信装置100からＣＭ１回再生放送番組サービスアプリケーション情報709を送信し、
ステップS8−6：放送受信装置110のサービスアプリケーション蓄積管理手段117に蓄積する。
【０２０８】
次に、放送受信装置が、サービスアプリケーション情報に従って、蓄積しているＡＶデータを利用して、放送番組サービスを行う動作について、図２０のフローチャートを用いて説明する。
【０２０９】
ステップS9−1：放送受信装置110のアプリケーション情報処理手段118は、サービスアプリケーション蓄積管理手段117で蓄積管理されているＣＭ１回再生放送番組サービスアプリケーション情報709を読み込んで、
ステップS9−2：サービス情報に従って、ＣＭ１回再生放送番組サービスアプリケーション処理プログラムを実行する。
【０２１０】
ステップS9−3：ＣＭ１回再生放送番組サービスアプリケーション処理プログラムは、ＣＭ１回再生放送番組サービスアプリケーション情報709の放送情報に従って、ＡＶデータ蓄積管理手段114で蓄積管理されているＡＶデータの中から、Ａ１、Ｂ１、Ｃ１、Ｄ１、ａ１、Ａ１、Ｂ２、Ｃ２、Ｄ２、ａ２、Ａ１、Ｂ３、Ｃ２、Ｄ１、Ｄ２を抽出する。
【０２１１】
ステップS9−4：図９の１回目の放送902のように、ＣＭ１回再生放送番組サービスアプリケーション情報709の処理情報を参照し、再生開始時間が０（再生していない）であるため、最初の放送からＡ１、Ｂ１、Ｃ１、Ｄ１、ａ１、Ａ１、Ｂ２、Ｃ２、Ｄ２、ａ２、Ａ１、Ｂ３、Ｃ２、Ｄ１、Ｄ２の順に再生する。
【０２１２】
図２１は、放送受信装置が、放送番組サービスの利用情報を作成して活用する処理の流れを示すフローチャートであり、図１、７、９〜１１とあわせて、その動作を説明する。
【０２１３】
ステップS10−1：前述のように、放送している10:00〜10:30のドラマ番組ａにおいて、例えば、視聴者がＡ１、Ｂ１、Ｃ１、Ｄ１、ａ１の視聴中に、10:10:00で視聴を終了した場合に、ＣＭ１回放送番組サービスアプリケーション処理プログラムは、再生終了時間10:10:00をドラマ番組ａのＡＶデータａ１の放送時間に換算し、（10:10:00−10:02:00（a1の放送開始時間））min×60sec＝480secで再生を終了する。
【０２１４】
ステップS10−2：次に、図１０のように、放送済のＣＭのＡＶデータ、Ａ１、Ｂ１、Ｃ１、Ｄ１の蓄積管理情報1001に、放送番組サービス名の「ＣＭ１回再生放送番組サービス」を利用情報として登録し、蓄積管理情報1002を作成する。
【０２１５】
ステップS10−3：また、図１１のように、ＣＭ１回再生放送番組サービスアプリケーション情報1101に、前述のように再生終了時間を換算した480secを再生開始時間として処理情報に登録し、ＣＭ１回再生放送番組サービスアプリケーション情報1102を作成する。
【０２１６】
ステップS10−4：再び、ＣＭ１回再生放送番組サービスアプリケーション処理プログラムを実行すると、
ステップS10−5：ＡＶデータ蓄積管理手段114で蓄積管理されているＡＶデータに登録されている蓄積管理情報1002を読み込む。
【０２１７】
ステップS10−6：ＡＶデータ蓄積管理手段114で蓄積管理されているＡＶデータの中から、蓄積管理情報1002にＣＭ１回再生放送番組サービスの利用情報が登録されているＡ１、Ｂ１、Ｃ１、Ｄ１を外して、ＣＭ１回再生放送番組サービスアプリケーション情報1102の放送情報に従って、ａ１、Ｂ２、Ｃ２、Ｄ２、ａ２、Ｂ３、Ｃ２、Ｄ２を抽出する。
【０２１８】
ステップS10−7：図９の２回目の放送903のように、ＣＭ１回再生放送番組サービスアプリケーション情報1102の処理情報を参照し、再生開始時間がａ１の480であるため、ドラマ番組ａのＡＶデータａ１の480secから再生を開始し、ａ１、Ｂ２、Ｃ２、Ｄ２、ａ２、Ｂ３、Ｃ２、Ｄ２の順に再生する。
【０２１９】
しかし、再び視聴者がａ１、Ｂ２、Ｃ２、Ｄ２、ａ２の視聴中に10:20:00で視聴を終了すると、ＣＭ１回再生放送番組サービスアプリケーション処理プログラムは、再生終了時間10:20:00をドラマ番組ａのＡＶデータａ２の放送時間に換算し、（10:20:00−10:15:30（a2の放送開始時間））min×60sec＝270secで再生を終了する（ステップS10−1）。
【０２２０】
さらに、図１０のように、放送済のＣＭのＡＶデータ、Ｂ２、Ｃ２、Ｄ２の蓄積管理情報1002に、放送番組サービス名の「ＣＭ１回再生放送番組サービス」を利用情報として登録し、蓄積管理情報1003を作成する（ステップS10−2）。
【０２２１】
また、図１１のように、ＣＭ１回再生放送番組サービスアプリケーション情報1102に、前述のように再生終了時間を換算した270secを再生開始時間として処理情報に登録し、ＣＭ１回再生放送番組サービスアプリケーション情報1103を作成する（ステップS10−3）。
【０２２２】
再び、ＣＭ１回再生放送番組サービスアプリケーション処理プログラムを実行すると（ステップS10−4）、ＡＶデータ蓄積管理手段114で蓄積管理されているＡＶデータに登録されている蓄積管理情報1003を読み込む（ステップS10−5）。
【０２２３】
ＡＶデータ蓄積管理手段114で蓄積管理されているＡＶデータの中から、蓄積管理情報1003にＣＭ１回再生放送番組サービスの利用情報が登録されているＡ１、Ｂ１、Ｃ１、Ｄ１、Ｂ２、Ｃ２、Ｄ２を外して、ＣＭ１回再生放送番組サービスアプリケーション情報1103の放送情報に従って、ａ２、Ｂ３を抽出する（ステップS10−6）。
【０２２４】
図９の３回目の放送903のように、ＣＭ１回再生放送番組サービスアプリケーション情報1103の処理情報を参照し、再生開始時間がａ２の270であるため、ドラマ番組ａのＡＶデータａ２の270secから再生を開始し、ａ２、Ｂ３の順に再生する（ステップS10−7）。
【０２２５】
以上のように、本実施の形態では、放送受信装置で蓄積管理されているＡＶデータの蓄積管理情報にサービスアプリケーションの利用情報が登録され、この利用情報に従ってサービスアプリケーションが実行される。そのため、放送受信装置において、ＡＶデータを効率よく活用することができる。
【０２２６】
なお、本実施の形態では、ＡＶデータの蓄積管理情報に登録する利用情報として、サービス名を登録する場合について説明したが、これに限定する必要はなく、サービスを一意に特定できる情報であれば同様に実施可能である。
【０２２７】
（第７の実施の形態）
第７の実施の形態では、放送番組サービスの利用情報を活用して、放送番組のＡＶデータを削除する動作について説明する。
【０２２８】
例えば、第６の実施の形態で説明した、ＣＭ１回再生放送番組サービスにおいて、２回目の放送が終了した時点で、放送済のＣＭを削除するという、放送済ＣＭ削除放送番組サービスを提供する場合について説明する。
【０２２９】
まず、放送送信装置が、サービスアプリケーション情報を作成する動作について、図１９のフローチャートを用いて説明する。
【０２３０】
第４の実施の形態で説明したように、放送送信装置100のアプリケーション情報蓄積管理手段106は、アプリケーション情報作成手段105で作成された、10:00〜10:30のドラマ番組ａに対するアプリケーション情報701を蓄積して管理している。
【０２３１】
また、放送送信装置100のサービスアプリケーション蓄積管理手段107は、放送済ＣＭ削除放送番組サービスアプリケーションを蓄積して管理している。
【０２３２】
例えば、放送送信装置が放送済ＣＭ削除放送番組サービスアプリケーション情報として、サービス情報と処理情報とを作成して、放送受信装置に蓄積する動作について、説明する。
【０２３３】
ステップS8−1：10:00〜10:30のドラマ番組ａに対し放送済ＣＭ削除放送番組サービスを提供するために、第４の実施の形態と同様に、放送済ＣＭ削除放送番組サービスを実行する前に、放送送信装置100から放送済ＣＭ削除放送番組サービスアプリケーション処理プログラムを送信し、
ステップS8−2：放送受信装置110のサービスアプリケーション蓄積管理手段117に蓄積する。
【０２３４】
ステップS8−3：図７のように、放送送信装置100は、アプリケーション情報蓄積管理手段106で蓄積管理しているアプリケーション情報701を読み込む。
【０２３５】
ステップS8−4：Ａ〜Ｄ社の放送済のＣＭのＡＶデータを削除するために、ＡＶデータのＣＭ会社を表現しているグループ識別子Ａ、Ｂ、Ｃ、Ｄを処理情報として、放送番組サービス名の「放送済ＣＭ削除放送番組サービス」をサービス情報として、このサービス情報と処理情報とから成る放送番組サービス情報702をアプリケーション情報701に追加し、放送済ＣＭ削除放送番組サービスアプリケーション情報710を作成して、サービスアプリケーション蓄積管理手段107に蓄積する。
【０２３６】
ステップS8−5：放送済ＣＭ削除放送番組サービスを実行する前に、放送送信装置100から放送済ＣＭ削除放送番組サービスアプリケーション情報710を送信し、
ステップS8−6：放送受信装置110のサービスアプリケーション蓄積管理手段117に蓄積する。
【０２３７】
次に、放送受信装置が、アプリケーション情報に従って、放送番組サービスの利用情報を活用して、放送番組のＡＶデータを削除する動作について説明する。図２２は、放送受信装置が、アプリケーション情報に従って、放送番組サービスの利用情報を活用して、蓄積しているＡＶデータを削除する処理の流れを示すフローチャートである。
【０２３８】
ステップS11−1：例えば、第６の実施の形態で説明した、ＣＭ１回再生放送番組サービスにおいて、２回目の放送が終了した時点で、放送済ＣＭ削除放送番組サービスを実行するため、放送受信装置110のアプリケーション情報処理手段118は、サービスアプリケーション蓄積管理手段116で蓄積管理されている放送済ＣＭ削除放送番組サービスアプリケーション情報710を読み込んで、サービス情報に従って、放送済ＣＭ削除放送番組サービスアプリケーション処理プログラムを実行する。
【０２３９】
ステップS11−2：放送済ＣＭ削除放送番組サービスアプリケーション処理プログラムは、放送済ＣＭ削除放送番組サービスアプリケーション情報710の放送情報に従って、ＡＶデータ蓄積管理手段114で蓄積管理されているＡＶデータの中から、Ａ１、Ｂ１、Ｃ１、Ｄ１、ａ１、Ａ１、Ｂ２、Ｃ２、Ｄ２、ａ２、Ａ１、Ｂ３、Ｃ２、Ｄ１、Ｄ２を抽出する。
【０２４０】
ステップS11−3：次に、ＡＶデータの蓄積管理情報1003に登録されている利用情報を参照し、
ステップS11−4：利用情報が登録されているＡ１、Ｂ１、Ｃ１、ａ１、Ｄ１、ａ２、Ｂ２、Ｃ２、Ｄ２から、放送済ＣＭ削除放送番組サービスアプリケーション情報710の処理情報に登録されているグループ識別子Ａ、Ｂ、Ｃ、ＤのＡＶデータ、Ａ１、Ｂ１、Ｃ１、Ｄ１、Ｂ２、Ｃ２、Ｄ２を抽出して、
ステップS11−5：削除する。
【０２４１】
以上のように、本実施の形態では、放送受信装置に蓄積管理されているＡＶデータが、サービスアプリケーションの利用情報に従って削除される。放送受信装置では、蓄積管理しているＡＶデータをサービスアプリケーションの利用状況により、効率よく削除することができる。
【０２４２】
なお、本実施の形態で、放送送信装置が放送番組サービスアプリケーション情報に番組情報、放送情報、サービス情報、処理情報を登録する場合について説明したが、登録する情報はこれに限定する必要はなく、放送受信装置でサービスを実行できる情報であれば同様に実施可能である。また、削除するＡＶデータの情報は、グループ識別子の情報で指定した例で説明したが、これに限定する必要はなく、ＡＶデータを特定できる情報であれば同様に実施可能である。
【０２４３】
（第８の実施の形態）
第８の実施の形態では、放送番組サービスを利用して、放送番組のＡＶデータを蓄積する動作について説明する。
【０２４４】
例えば、指定した時刻にチューニングして放送番組のＡＶデータの蓄積を開始するという、自動チューニング蓄積放送番組サービスを提供する場合について説明する。
【０２４５】
図２３は、放送送信装置及びその受信装置が、蓄積した放送番組サービスを利用して、放送番組のＡＶデータを蓄積する処理の流れを示すフローチャートであり、図８とあわせて、以下にその動作を説明する。
【０２４６】
第４の実施の形態で説明したように、放送送信装置100のアプリケーション情報蓄積管理手段106は、アプリケーション情報作成手段105で作成された、10:00〜10:30のドラマ番組ａに対するアプリケーション情報701を蓄積して管理している。
【０２４７】
また、放送送信装置100のサービスアプリケーション蓄積管理手段107は、自動チューニング蓄積放送番組サービスアプリケーションを蓄積して管理している。例えば、放送送信装置が自動チューニング蓄積放送番組サービスアプリケーション情報として、サービス情報と処理情報とを作成して、放送受信装置に蓄積する動作について、説明する。
【０２４８】
ステップS12−1：10:00〜10:30のドラマ番組ａに対し、自動チューニング蓄積放送番組サービスを提供するために、第４の実施の形態と同様に、自動チューニング蓄積放送番組サービスを実行する前に、放送送信装置100から自動チューニング蓄積放送番組サービスアプリケーション処理プログラムを送信し、放送受信装置110のサービスアプリケーション蓄積管理手段117に蓄積する。
【０２４９】
ステップS12−2：1999年1月1日10:00:00〜10:30:00のch1のドラマ番組ａを自動蓄積するため、図７のように、放送送信装置100は、アプリケーション情報蓄積管理手段106で蓄積管理されているアプリケーション情報701を読み込み、chを1ch、放送時間を1999年1月1日10:00:00として、処理情報を登録し、また、放送番組サービス名の「自動チューニング蓄積放送番組サービス」をサービス情報として、このサービス情報と処理情報とから成る放送番組サービス情報702をアプリケーション情報701に追加し、自動チューニング蓄積放送番組サービスアプリケーション情報711を作成して、サービスアプリケーション蓄積管理手段107に蓄積する。
【０２５０】
ステップS12−3：自動チューニング蓄積放送番組サービスを実行する前に、放送送信装置100から自動チューニング蓄積放送番組サービスアプリケーション情報711を送信し、放送受信装置110のサービスアプリケーション蓄積管理手段117に蓄積する。
【０２５１】
ステップS12−4：次に、放送受信装置110のアプリケーション情報処理手段118は、自動チューニング蓄積放送番組サービスアプリケーション情報711を読み込んで、
ステップS12−5：サービス情報に従って、自動チューニング蓄積放送番組サービスアプリケーション処理プログラムを実行する。
【０２５２】
ステップS12−6：自動チューニング蓄積放送番組サービスアプリケーション処理プログラムは、自動チューニング蓄積放送番組サービスアプリケーション情報711に処理情報として登録されている放送時間に従って、放送時間の1999年1月1日10:00:00より前に、1chにチューニングする。
【０２５３】
ステップS12−7：以下、第１の実施の形態で説明したように、ドラマ番組ａのＡＶデータが放送受信装置110に蓄積される。
【０２５４】
以上のように、本実施の形態では、放送送信装置からアプリケーション情報とサービスアプリケーションとを送信すると、放送受信装置は、アプリケーション情報に従って、サービスアプリケーションを実行し、チューニングを行い、放送番組のＡＶデータを蓄積する。従って、放送受信装置では、チューニングしていない放送番組のＡＶデータを蓄積することができる。
【０２５５】
なお、本実施の形態では、放送送信装置が放送番組サービスアプリケーション情報に登録する情報として、番組情報、放送情報、サービス情報、処理情報を例に説明したが、これに限定する必要はなく、放送受信装置でサービスを実行できる情報であれば同様に実施可能である。
【０２５６】
また、本実施の形態では、チューニングする時間を、放送時間より前とする例について説明したが、これに限定する必要はなく、また、放送開始時間のどのくらい前にするかは設定により自由に変更できるようにしても同様に実施可能である。
【０２５７】
また、本実施の形態では、放送受信装置が電源ＯＮの状態でチューニングする例で説明したが、これに限定する必要はなく、一旦電源をＯＦＦし、チューニングする時間になったら自動的に電源をＯＮにするなど、自由に設定を変更できるようにしても良い。
【０２５８】
【発明の効果】
以上の説明から明らかなように、本発明の放送システムは次のような効果を有している。
【０２５９】
第１に、放送送信装置において、放送番組を構成する素材をＡＶデータとして蓄積、管理し、そのＡＶデータを放送受信装置に蓄積する場合の処理制御方法を示す蓄積制御情報と、蓄積中の管理情報を示す蓄積管理情報とを作成し、リファレンス情報として登録することにより、放送受信装置に蓄積する放送番組のＡＶデータを、放送送信装置で管理することができる。
【０２６０】
第２に、放送送信装置に、放送番組のスケジュールを変更した場合に、スケジュール情報に従って、蓄積管理しているリファレンス情報を変更する手段を加えることにより、緊急ニュース番組などで放送番組のスケジュールを変更した場合でも、放送受信装置が蓄積管理しているデータには変更を加えることなく、放送送信装置の側で、柔軟に対応することができる。
【０２６１】
第３に、放送送信装置に、蓄積管理しているリファレンス情報を利用して、放送時間枠内で放送を終了させる放送番組のスケジュールを作成する手段を加えることにより、緊急ニュース番組などで放送番組のスケジュールを変更した場合でも、放送受信装置が蓄積管理しているデータには変更を加えることなく、放送送信装置の側で、放送時間枠内に放送番組のスケジュールを収めるように再編成することができる。
【０２６２】
第４に、放送送信装置から、蓄積制御情報と蓄積管理情報とから成るリファレンス情報を送信し、放送受信装置において、蓄積制御情報に従って蓄積制御コマンドを実行し、蓄積管理情報に従って放送番組のＡＶデータを蓄積、管理することにより、放送受信装置に蓄積管理される放送番組のＡＶデータを放送送信装置から制御することができる。
【０２６３】
第５に、この蓄積制御情報に、蓄積可能かを判断し、蓄積可能な場合のみ、放送番組のＡＶデータを蓄積する蓄積制御コマンドを加えたことにより、放送送信装置が蓄積指示する放送番組のＡＶデータを、放送受信装置において効率良く蓄積管理することができる。
【図面の簡単な説明】
【図１】本発明の放送送信装置及びその受信装置の基本的な構成を示すブロック図、
【図２】本発明のリファレンス情報作成手段が作成するデータを示す図、
【図３】本発明の放送送信装置が放送受信装置に送信するデータを示す図、
【図４】本発明の第２及び第３の実施形態における放送送信装置が変更するデータを示す図、
【図５】本発明の第３の実施形態においてリファレンス情報作成手段が作成するデータを示す図、
【図６】本発明のアプリケーション情報作成手段がリファレンス情報から作成するデータを示す図、
【図７】本発明のアプリケーション情報作成手段がサービスアプリケーションから作成するデータを示す図、
【図８】本発明の第４の実施形態における放送番組サービスを示す図、
【図９】本発明の第５の実施形態における放送番組サービスを示す図、
【図１０】本発明の第５の実施形態においてＡＶデータ蓄積管理手段が蓄積管理するデータを示す図、
【図１１】本発明の第５の実施形態においてアプリケーション情報処理手段が作成するデータを示す図、
【図１２】本発明の第１の実施形態におけるリファレンス情報作成処理を説明するフローチャート、
【図１３】本発明の第１の実施形態におけるリファレンス情報送信処理を説明するフローチャート、
【図１４】本発明の第１の実施形態におけるＡＶデータ蓄積処理を説明するフローチャート、
【図１５】図１４のステップS3−3の詳細な処理を説明するフローチャート、
【図１６】本発明の第２の実施形態におけるリファレンス情報変更処理を説明するフローチャート、
【図１７】本発明の第３の実施形態におけるスケジュール情報再編成処理を説明するフローチャート、
【図１８】本発明の第４の実施形態におけるアプリケーション情報作成処理を説明するフローチャート、
【図１９】本発明の第４の実施形態における放送番組サービス蓄積処理を説明するフローチャート、
【図２０】本発明の第４の実施形態における放送番組サービス処理を説明するフローチャート、
【図２１】本発明の第５の実施形態における利用情報活用処理を説明するフローチャート、
【図２２】本発明の第６の実施形態における利用情報活用削除処理を説明するフローチャート、
【図２３】本発明の第７の実施形態における自動チューニング蓄積放送番組サービス処理を説明するフローチャートである。
【符号の説明】
100  放送送信装置
101  ＡＶデータ蓄積管理手段
102  スケジュール管理手段
103  リファレンス情報作成手段
104  リファレンス情報蓄積管理手段
105  アプリケーション情報作成手段
106  アプリケーション情報蓄積管理手段
107  サービスアプリケーション蓄積管理手段
108  送信手段
110  放送受信装置
111  受信手段
112  ＡＶデコーダ手段
113  ＡＶ再生手段
114  ＡＶデータ蓄積管理手段
115  リファレンス情報処理手段
116  アプリケーション情報蓄積管理手段
117  サービスアプリケーション蓄積管理手段
118  アプリケーション情報処理手段
201  ＡＶデータ情報
202  スケジュール情報
203  リファレンス情報
204  蓄積制御情報
205  蓄積管理情報
401  放送番組の放送スケジュール
402  流動番組の放送スケジュール
403  修正番組の放送スケジュール
501  スケジュール情報
502  スケジュール情報
503  リファレンス情報
504  蓄積制御情報
505  蓄積管理情報
601  蓄積制御情報
602  蓄積管理情報
603  リファレンス情報
604  アプリケーション情報
701  アプリケーション情報
702  放送番組サービス情報
703  再放送番組サービスアプリケーション情報
704  ＣＭ途中放送番組サービスアプリケーション情報
705  ＣＭ短縮放送番組サービスアプリケーション情報
706  ＣＭ長効果放送番組サービスアプリケーション情報
707  ＣＭ短効果放送番組サービスアプリケーション情報
708  ＣＭ削除放送番組サービスアプリケーション情報
709  ＣＭ１回放送番組サービスアプリケーション情報
710  放送済ＣＭ削除放送番組サービスアプリケーション情報
711  自動チューニング蓄積放送番組サービスアプリケーション情報
801  蓄積番組の放送スケジュール
802  再放送番組の放送スケジュール
803  ＣＭ短縮放送番組の放送スケジュール
804  ＣＭ途中放送番組の放送スケジュール
805  ＣＭ長効果放送番組の放送スケジュール
806  ＣＭ短効果放送番組の放送スケジュール
901  蓄積番組の放送スケジュール
902  １回目の放送スケジュール
903  ２回目の放送スケジュール
904  ３回目の放送スケジュール
1001  蓄積管理情報
1002  １回目の放送後の蓄積管理情報
1003  ２回目の放送後の蓄積管理情報
1101  ＣＭ１回放送番組サービスアプリケーション情報
1102  １回目の放送後のＣＭ１回放送番組サービスアプリケーション情報
1103  ２回目の放送後のＣＭ１回放送番組サービスアプリケーション情報
【図１】
0004298045.tif 000002
【図２】
0004298045.tif 000003
【図３】
0004298045.tif 000004
【図４】
0004298045.tif 000005
【図５】
0004298045.tif 000006
【図６】
0004298045.tif 000007
【図７】
0004298045.tif 000008
【図８】
0004298045.tif 000009
【図９】
0004298045.tif 000010
【図１０】
0004298045.tif 000011
【図１１】
0004298045.tif 000012
【図１２】
0004298045.tif 000013
【図１３】
0004298045.tif 000014
【図１４】
0004298045.tif 000015
【図１５】
0004298045.tif 000016
【図１６】
0004298045.tif 000017
【図１７】
0004298045.tif 000018
【図１８】
0004298045.tif 000019
【図１９】
0004298045.tif 000020
【図２０】
0004298045.tif 000021
【図２１】
0004298045.tif 000022
【図２２】
0004298045.tif 000023
【図２３】
0004298045.tif 000024